(57)【要約】【課題】頭髪を梳く際にはブラシ感覚を持って梳くことを可能とし、頭髪に対する内容液の塗布が十分にかつ効率良く行なわれることを実現するものである。【解決手段】スクイズ性を有する容器本体２の口筒部３に密に組付く組付き筒５の上端に、内鍔状の頂壁６を介して前後に扁平で、内部を中空部８とした筒状の起立筒７を立設し、該起立筒７の上端部に櫛歯体１１を密に組み付けて構成され、前記櫛歯体１１は、頂板１２上に、左右に整列した、上端部に左右に開口した注出孔１６を設け、該注出孔１６から中空部８に連通する注出路１７を貫設した主櫛歯片１５と、中実の細い棒状をした副櫛歯片２０との、それぞれ二つの列を起立設し、前記主櫛歯片１５の列に対して副櫛歯片２０の列を、内側とならない位置に配置した構成である。【選択図】        図１
2004313588.tif 000002
【特許請求の範囲】
【請求項１】
スクイズ性を有する容器本体（２）の口筒部（３）に密に組付く組付き筒（５）の上端に、内鍔状の頂壁（６）を介して前後に扁平で、内部を中空部（８）とした筒状の起立筒（７）を立設し、該起立筒（７）の上端部に櫛歯体（１１）を密に組み付けて構成され、前記櫛歯体（１１）は、頂板（１２）上に、左右に整列した、上端部に左右に開口した注出孔（１６）を設け、該注出孔（１６）から中空部（８）に連通する注出路（１７）を貫設した主櫛歯片（１５）と、中実の細い棒状をした副櫛歯片（２０）との、それぞれ二つの列を起立設し、前記主櫛歯片（１５）の列に対して副櫛歯片（２０）の列を、内側とならない位置に配置した構成である櫛付きキャップ。
【請求項２】
櫛歯体（１１）の頂板（１２）の下面周端部に、起立筒（７）の上端部である突条片（１０）が、密にアンダーカット結合する係合凹部（１４）を形成する、二重筒状の下部筒部（１３）を垂下設した請求項１に記載の櫛付きキャップ。
【請求項３】
左右両端部に枠櫛歯片（１８）を起立設した起立筒（７）に、別体に形成した櫛歯体（１１）を組み付ける構成とし、櫛歯体（１１）の頂板（１２）の下面周端部に、起立筒（７）の上端部である嵌合部（７ａ）に形成した係合凹部（７ｂ）に密にアンダーカット結合する、突条片（１２ａ）を垂下設した請求項１に記載の櫛付きキャップ。
【請求項４】
主櫛歯片（１５）の二つの列の各主櫛歯片（１５）の外側に副櫛歯片（２０）を位置させた構成である請求項１〜３記載の櫛付きキャップ。
【請求項５】
主櫛歯片（１５）は前後方向に長い断面楕円形に形成して成る請求項１〜３記載の櫛付きキャップ。
【請求項６】
２列に配置された各主櫛歯片（１５ａ）の横断面形状を、外側が先細状の砲弾形状とした請求項１〜３記載の櫛付きキャップ。
【請求項７】
二つの列の主櫛歯片（１５ａ）を千鳥状に配列し、前記各主櫛歯片（１５ａ）の外側に副櫛歯片（２０）を位置させた構成である請求項１〜３記載の櫛付きキャップ。
【請求項８】
２列の主櫛歯片（１５ａ）を千鳥状に配列し、各列の主櫛歯片（１５ａ）間に副櫛歯片（２０）を配置した構成である請求項１〜３記載の櫛付きキャップ。
【請求項９】
２列の主櫛歯片（１５、１５ａ）に対応して、該主櫛歯片（１５、１５ａ）と同形状の枠櫛歯片（１８、１８ａ）を起立設した請求項１〜３に記載の櫛付きキャップ。
【発明の詳細な説明】
【０００１】
【発明の属する技術分野】
本発明は、容器本体に収納された白髪染め液やヘアマニキュア等毛髪化粧料の内容液を、容器本体から頭髪に直接塗布すべく構成した櫛付きキャップに関する。
【０００２】
【従来の技術】
スクイズ性を有する容器本体にキャップとして組付けられ、容器本体の白髪染め液やヘアマニキュア等毛髪化粧料の内容液を直接頭髪に塗布することができる様にした櫛付きキャップとして、特開平８―７０９２９号公報がある（特許文献１参照）。
【０００３】
【特許文献１】
特開平８―７０９２９号公報
【０００４】
【発明が解決しようとする課題】
上記従来技術にあっては、クシ立設面には主櫛歯の配列された領域の両側に副櫛歯を列設し、主櫛歯によっては規制しきれなかった塗布部からの毛髪化粧料の垂れ落ちを、毛髪化粧料を副櫛歯により流動状態を規制して該化粧料が塗布部から垂れ落ちしないように規制しているものである。
【０００５】
しかし、この種櫛付きキャップでは、頭髪を梳く際に、一定の抵抗を持った良好なブラシ作用の良いものがなく、また頭髪の生え際近くに毛髪化粧料の内容液を吐出させることが困難であり、さらには、頭髪に対する毛髪化粧料の塗布力及び頭髪保持力が十分にかつ効率良く行なわれていないという問題点がある。
【０００６】
そこで、本発明は、各櫛歯片間における頭髪の保持性を向上させることを技術的課題とし、頭髪を梳く際にはブラシ感覚を持って梳くことを可能とし、頭髪に対する内容液の塗布が十分にかつ効率良く行なわれることが可能な櫛付きキャップの提供を目的としている。
【０００７】
【課題を解決するための手段】
上記技術的課題を解決する本発明の手段として、請求項１の発明に係る櫛付きキャップは、
スクイズ性を有する容器本体２の口筒部３に密に組付く組付き筒５の上端に、内鍔状の頂壁６を介して前後に扁平で、内部を中空部８とした筒状の起立筒７を立設し、該起立筒７の上端部に櫛歯体１１を密に組み付けて構成され、前記櫛歯体１１は、頂板１２上に、左右に整列した、上端部に左右に開口した注出孔１６を設け、該注出孔１６から中空部８に連通する注出路１７を貫設した主櫛歯片１５と、中実の細い棒状をした副櫛歯片２０との、それぞれ二つの列を起立設し、前記主櫛歯片１５の列に対して副櫛歯片２０の列を、内側とならない位置に配置した構成である。
【０００８】
上記請求項１の構成により、頭髪を梳く際には配列された副櫛歯片及び主櫛歯片の存在により頭髪をスムーズに分けて梳くことが可能となり、副櫛歯片はブラシで頭髪を梳く時の頭髪への抵抗により、ブラシで梳く場合と同様な作用を持ったブラシ感覚で頭髪を梳くことができる。また、櫛歯片の上端部に注出孔を開設し、頭髪を梳く場合は注出口を頭髪の生え際近くまで差込むことが可能となり、頭髪の生え際近くに内容液を吐出させて塗布される。
【０００９】
請求項２の発明は、請求項１に記載の櫛付きキャップにおいて、
櫛歯体１１の頂板１２の下面周端部に、起立筒７の上端部である突条片１０が、密にアンダーカット結合する係合凹部１４を形成する、二重筒状の下部筒部１３を垂下設したものである。
【００１０】
請求項３の発明は、請求項１に記載の櫛付きキャップにおいて、
左右両端部に枠櫛歯片を起立設した起立筒に、別体に形成した櫛歯体を組み付ける構成とし、櫛歯体の頂板の下面周端部に、起立筒の上端部である嵌合部に形成した係合凹部に密にアンダーカット結合する、突条片を垂下設したものである。
【００１１】
上記請求項２、３の構成により、起立筒に櫛歯体を組み付けると、突条片に嵌合凹部をアッダーカット結合し、シール性の高い櫛付きキャップになる。
【００１２】
請求項４の発明は、請求項１〜３に記載の櫛付きキャップにおいて、主櫛歯片１５の二つの列の各主櫛歯片１５の外側に副櫛歯片２０を位置させた構成である。
【００１３】
上記請求項４の構成により、主櫛歯片及び副櫛歯片から構成される各櫛歯片間における頭髪の保持性を向上させ、頭髪に対する内容液の塗布が十分にかつ効率良く行なえ得る。また、副主櫛歯片は弾性を有し、頭髪の生え際を塗布する際に塗布し易くなり、さらに、頭髪を梳く場合は、副櫛歯片はブラシで頭髪を梳く時の適度の頭髪への抵抗となり、ブラシで頭髪を梳く場合と同様なブラシ作用を持たせることができる。
【００１４】
請求項５の発明は、請求項１〜３に記載の櫛付きキャップにおいて、主櫛歯片１５は前後方向すなわち、櫛の梳き方向に長い断面楕円形に形成して成るものである。
【００１５】
上記請求項５の構成により、頭髪は接触面積の大きい主櫛歯片で梳かれるので、櫛の通りが良好となり、注出した内容液の良好な保持能力を維持したまま、頭髪を梳くことが可能となった。
【００１６】
請求項６の発明は、請求項１〜３に記載の櫛付きキャップにおいて、２列に配置された各主櫛歯片１５ａの横断面形状を、外側が先細状の砲弾形状とした構成である。
【００１７】
上記請求項６の構成により、頭髪は接触面積の大きい頭部を外側に向けた主櫛歯片で梳かれるので、櫛の通りが良好となり、しかも毛髪化粧料は保持力を有し、満遍なく毛髪にからんで塗布される。
【００１８】
請求項７の発明は、請求項１〜３に記載の櫛付きキャップにおいて、二つの列の主櫛歯片１５ａを千鳥状に配列し、前記各主櫛歯片１５ａの外側に副櫛歯片２０を位置させた構成である。
【００１９】
上記請求項７の構成により、主櫛歯片は千鳥足状に配設し、その外側に副櫛歯片を配設しているため、粘性の高い毛髪整髪料を使用する場合には特に有効となる。
【００２０】
請求項８の発明は、請求項１〜３に記載の櫛付きキャップにおいて、２列の主櫛歯片１５ａを千鳥状に配列し、各列の主櫛歯片１５ａ間に副櫛歯片２０を配置した構成である。
【００２１】
上記請求項８の構成により、主櫛歯片に隣接して副櫛歯片が並列されているため、粘性の低い毛髪整髪料を使用する場合には特に有効であり、毛髪整髪料の内容液が垂れ落ちるのを規制できる。
【００２２】
請求項９の発明は、請求項１〜３に記載の櫛付きキャップにおいて、２列の主櫛歯片１５に対応して、該主櫛歯片１５と同形状の枠櫛歯片１８、１８ａを起立設したものである。
【００２３】
上記請求項９の構成では、頂板又は起立筒の左右端部に起立設された枠櫛歯片により、通常使用の場合は、注出孔から吐出した毛髪化粧料の内容液の垂れ落ちを規制可能となる。
【００２４】
【発明の実施の形態】
本発明の第一実施例は図１〜図４を、第二実施例は図５〜８を参照して説明する。
本発明に係る第一実施例の櫛付きキャップ１は、スクイズ性を有する胴部４を備えた容器本体２の口筒部３に密に組付く組付き筒５を下部に有するものであり、該組付き筒５の上端に内鍔状の頂壁６を介して内部に中空部８を形成した前後に偏平な起立筒７が立設され、該起立筒７の上端部に櫛歯体１１を密に組み付ける構成とされている。
【００２５】
前記頂壁６の内方下面には、容器本体２の口筒部３に密嵌入する短円筒状のシール筒片９が設けられ、容器本体２の口筒部３に対する組み付きを液密に達成させている。
【００２６】
前記櫛歯体１１は、代表的配列を示した図２〜図４のように、頂板１２上には、左右に等間隔に整列した、上端部に左右に開口した注出孔１６を設け、該注出孔１６から中空部８に連通する注出路１７を貫設した主櫛歯片１５と、中実の細い棒状をした副櫛歯片２０との、それぞれ二つの列を起立設し、前記主櫛歯片１５の列に対して副櫛歯片２０の列を、内側とならない位置に配置した構成にされている。前記主櫛歯片１５と副櫛歯片２０の配列は、左右に等間隔に整列させなくてもよいものである。また、副櫛歯片２０は弾性を有するものとするのがよい。
【００２７】
また、主櫛歯片１５の二つの列の各主櫛歯片１５の外側に副櫛歯片（２０）を位置させた構成とし、前記主櫛歯片（１５）は前後方向すなわち、頭髪の梳き方向に、長い断面楕円形に形成されている。
【００２８】
また、前記副櫛歯片２０の高さは、第一実施例では主櫛歯片１５の高さとほぼ同一高さに形成されている（図１、図３、図４参照）が、主櫛歯片１５の高さと同一高さに限らないもので、第二実施例のように注出孔１６の開口位置とほぼ同じ高さとし、主櫛歯片１５の高さより低く形成されている（図５、図６参照）。
【００２９】
前記櫛歯体１１の頂板１２の下面周端部には、起立筒７の上端部である突条片１０が、密にアンダーカット結合する係合凹部１４を形成する、二重筒状の下部筒部１３を垂下設して起立筒７上端部に櫛歯体１１が密に組み付けられている。
【００３０】
また、この起立筒７と櫛歯体１１との組み付け構造は、第二実施例の図５〜図８のように、左右両端部に枠櫛歯片１８を起立設した起立筒７に、別体に形成した櫛歯体１１を組み付ける構成とし、櫛歯体１１の頂板１２の下面周端部には、起立筒７の上端部である嵌合部７ａに形成した係合凹部７ｂに密にアンダーカット結合する、突条片１２ａを垂下設して密に組み付けてもよい。
第二実施例におけるその他の構成は、第一実施例と同構成であるので説明を省略する。
【００３１】
また、櫛歯体１１の起立筒７上端部への組み付けを容易にするために、図５、図６のように、前記突条片１２ａの前後側下端に差し込み舌片１２ｂを垂下設してもよい。
【００３２】
さらに、２列の主櫛歯片１５に対応して、該主櫛歯片１５と同形状の枠櫛歯片１８を、起立筒７の左右両端部に起立設し、通常使用の場合は注出孔１６から吐出した毛髪化粧料の内容液の垂れ落ちを規制でき、衣服や周囲を汚すことがないようにしている。
この枠櫛歯片１８には、第一実施例、後述する第三実施例から第五実施例のように、成形上、例えば、櫛歯体１１を一体成形する時のピン抜き孔として、主櫛歯片１５の注出孔１６の開口位置と同一高さに横孔１９を設けてもよい。なお、第二実施例のような、左右両端部に枠櫛歯片１８を起立設した起立筒７に、別体に形成した櫛歯体１１を組み付ける構成とした櫛付きキャップ１の場合は、横孔１９を設ける必要はない。
【００３３】
本発明の第三実施例を図９〜図１２により説明すると、この第三実施例では、主櫛歯片１５ａと副櫛歯片２０の配置構成は、第一実施例の構成と同構成であるが、頭髪に対する櫛の通りを良好とするため、２列に配置された各主櫛歯片１５ａの横断面形状を、外側が先細状の砲弾形状とした構成としている。
【００３４】
本発明の第四実施例を図１３〜図１４により説明すると、この第四実施例では、主櫛歯片１５ａと副櫛歯片２０の配置構成は、二つの列の主櫛歯片１５ａを千鳥状に配列し、前記各主櫛歯片１５ａの外側で、各主櫛歯片１５ａに対向させた位置に副櫛歯片２０を位置させた構成としている。
【００３５】
本発明の第五実施例を図１５〜図１６により説明すると、この第五実施例では、主櫛歯片１５ａと副櫛歯片２０の配置構成は、２列の主櫛歯片１５ａを千鳥状に配列し、各列の主櫛歯片１５ａ間に副櫛歯片２０を配置した構成である。なお、頂板１２の左右端部にあっては、副櫛歯片２０は主櫛歯片１５ａ間ではなく、端部に配置してもよい。
【００３６】
前述した櫛歯体１１及び起立筒７及びその周辺の表面は、頭髪を梳いた際に、頭髪との引っ掛かりが生じないように円滑な曲面に形成するのがよい。
【００３７】
第三実施例から第五実施例の副櫛歯片２０は、主櫛歯片１５ａの注出孔１６の開口位置に対向する高さで、主櫛歯片１５ａより低い高さに形成されている（図９、図１１、図１３、図１５参照）が、該副櫛歯片２０は、主櫛歯片１５ａより低い高さに限られず、同一高さに形成されてもよい。
【００３８】
なお、図中、第三実施例のＣ―Ｃ断面図と第四実施例のＥ―Ｅ断面図、第五実施例のＧ―Ｇ断面図は同様にあらわれるので各断面図を省略する。また、第三実施例のＤ―Ｄ断面図と第四実施例のＦ―Ｆ断面図、第五実施例のＨ―Ｈ断面図とは同様にあらわれるので各断面図を省略する。
【００３９】
【発明の効果】
上述した構成の本発明によれば、以下の効果を奏する。
請求項１記載の発明によれば、頭髪を梳く際には細い径の副櫛歯片と主櫛歯片とにより、頭髪はスムーズに分けられ、円滑に梳くことができる。
【００４０】
請求項１記載の発明によれば頭髪を梳く場合は、副櫛歯片で頭髪を梳く際に頭髪に抵抗を与え、ブラシと同様な作用を持たせて、ブラシ感覚で頭髪を梳くことができる。
【００４１】
また、請求項１記載の発明によれば、櫛歯片の上端部に注出孔が開設してあるため、頭髪を梳く場合は注出口を頭髪の生え際近くまで差込むことが可能となり、頭髪の生え際近くに内容液を吐出させて塗布できる。
【００４２】
さらに、請求項１記載の発明によれば、容器本体内の毛髪整髪料は注出路を通って注出孔から吐出されるため毛髪化粧料の塗布力及び頭髪保持力に優れている。
【００４３】
請求項２、３記載の発明によれば、起立筒に櫛歯体を組み付ける際には、突条片に嵌合凹部をアッダーカット結合するため、シール性の高い櫛付きキャップが製作できる。
【００４４】
請求項４記載の発明によれば、主櫛歯片及び副櫛歯片から構成される各櫛歯片間における頭髪の保持性を向上させ、頭髪に対する内容液の塗布が十分にかつ効率良く行なうことができる。
【００４５】
また、請求項４記載の発明によれば、副櫛歯片は弾性を有するため、頭髪の生え際等に毛髪化粧料を塗布する時に小刻みな塗布がし易いものである。
【００４６】
さらに、請求項４記載の発明によれば、頭髪を梳いた場合は、副櫛歯片の頭髪への抵抗により、ブラシで梳く場合と同様な作用を付与し、ブラシ感覚で頭髪を梳くことができる。
【００４７】
請求項５記載の発明によれば、頭髪は接触面積の大きい主櫛歯片で梳かれるので、櫛の通りが良好となり、注出した内容液の良好な保持能力を維持したまま、梳くことができる。
【００４８】
請求項６記載の発明によれば、頭髪は接触面積の大きい頭部を外側に向けた主櫛歯片で梳かれるので、櫛の通りが良好となり、しかも毛髪化粧料は保持力を有し、満遍なく毛髪にからめるようにして塗布できる。
【００４９】
請求項７記載の発明によれば、主櫛歯片は千鳥足状に配設されているため、粘性の高い毛髪整髪料を使用する場合には特に有効である。
【００５０】
請求項８記載の発明によれば、主櫛歯片に隣接して副主櫛歯片が並列されているため、粘性の低い毛髪整髪料を使用する場合には特に有効であり、内容液の垂れ落ちるのを規制することができる。
【００５１】
請求項９記載の発明によれば、通常使用の場合は注出孔から吐出した毛髪化粧料の内容液の垂れ落ちを規制できるため、衣服等を汚すのを防止できる。
【図面の簡単な説明】
【図１】本発明の第一実施例の、全体分解斜視図。
【図２】本発明の第一実施例の、容器本体に組付けた状態での櫛付きキャップの平面図。
【図３】本発明の第一実施例の、容器本体に組付けた状態での櫛付きキャップのＡ―Ａ断面図。
【図４】本発明の第一実施例の、容器本体に組付けた状態での櫛付きキャップのＢ―Ｂ断面図。
【図５】本発明の第二実施例の、容器本体に組付けた状態での櫛付きキャップの分解斜視図。
【図６】本発明の第二実施例の、容器本体に組付けた状態での櫛付きキャップのＩ―Ｉ断面図。
【図７】本発明の第二実施例の、容器本体に組付けた状態での櫛付きキャップのＪ―Ｊ断面図。
【図８】本発明の第二実施例の、容器本体に組付けた状態での櫛付きキャップの平面図。
【図９】本発明の第三実施例の、全体分解斜視図。
【図１０】本発明の第三実施例の、容器本体に組付けた状態での櫛付きキャップの平面図。
【図１１】本発明の第三実施例の、Ｃ―Ｃ断面図。
【図１２】本発明の第三実施例の、Ｄ―Ｄ断面図。
【図１３】本発明の第四実施例における櫛歯体の斜視図。
【図１４】本発明の第四実施例における櫛歯体の平面図。
【図１５】本発明の第五実施例における櫛歯体の斜視図。
【図１６】本発明の第五実施例における櫛歯体の平面図。
【符号の説明】
１    櫛付きキャップ
２    容器本体
３    口筒部
４    胴部
５    組付き筒
６    頂壁
７    起立筒
７ａ  嵌合部
７ｂ  係合凹部
８    中空部
９    シール筒片
１０  突状片
１１  櫛歯体
１２  頂板
１２ａ  突状片
１３  下部筒部
１４  係合凹部
１５、１５ａ  主櫛歯片
１６  注出孔
１７  注出路
１８、１８ａ  枠櫛歯片
１９  横孔
２０  副櫛歯片
【図１】
2004313588.tif 000003
【図２】
2004313588.tif 000004
【図３】
2004313588.tif 000005
【図４】
2004313588.tif 000006
【図５】
2004313588.tif 000007
【図６】
2004313588.tif 000008
【図７】
2004313588.tif 000009
【図８】
2004313588.tif 000010
【図９】
2004313588.tif 000011
【図１０】
2004313588.tif 000012
【図１１】
2004313588.tif 000013
【図１２】
2004313588.tif 000014
【図１３】
2004313588.tif 000015
【図１４】
2004313588.tif 000016
【図１５】
2004313588.tif 000017
【図１６】
2004313588.tif 000018